(57)【特許請求の範囲】
【請求項１】
鉛直方向に延びる柱と水平方向に延びる横架材とが突き合わされて接合され、その接合部に前記柱及び横架材に傾斜する方向に延びる筋交い材が配置されている筋交いダンパー構造であって、
前記筋交い材の上下端部あるいは下端部に板状の第１の高剛性部材の上端部が固定具にて固定され、
前記第１の高剛性部材の下端部の表裏面にそれぞれシート状ゴムの一面側が接着され、
前記各シート状ゴムの他面側それぞれに第２の高剛性部材の第１の部分の一面側が接着されて、前記第１の高剛性部材の下端部およびそれの両側のシート状ゴムが２つの前記第２の高剛性部材によって挟み込まれる構成とされ、
前記第２の高剛性部材の第２および第３の部分がそれぞれ前記柱および前記横架材に固定具にて固定され、
前記第２の高剛性部材の上下部が、前記横架材から上方に前記柱と平行に突出するアンカーボルトに連結され、
前記第２の高剛性部材の第１の部分、前記シート状ゴム及び前記第１の高剛性部材を積層してなる積層構造を貫通する金属製のプラグが設けられていることを特徴とする筋交いダンパー構造。
【請求項２】
前記アンカーボルトは、２つの前記第２の高剛性部材の第１の部分の間に、前記金属製のプラグが貫通する部分から離れて、配置されていることを特徴とする請求項１に記載の筋交いダンパー構造。
【請求項３】
前記第２の高剛性部材は、前記アンカーボルトに適用される上側及び下側ナット部材によって挟持されることで、前記アンカーボルトに連結されていることを特徴とする請求項２に記載の筋交いダンパー構造。
【請求項４】
前記下側のナット部材は、それの上面が前記アンカーボルトが突出する前記横架材にそれらの表面と面一になるように、あるいは前記ナット部材と第２の高剛性部材との間に配置されるワッシャーが前記表面と面一になるように設置されていることを特徴とする請求項３に記載の筋交いダンパー構造。
【請求項５】
前記上側のナット部材は、前記第２の高剛性部材の上端部に嵌合する溝部を有する上側ワッシャーを介して設けられていることを特徴とする請求項３または４に記載の筋交いダンパー構造。
【請求項６】
前記金属製のプラグは、交換可能に設けられていることを特徴とする請求項１〜５のいずれか１つに記載の筋交いダンパー構造。
【請求項７】
前記金属製のプラグは、両端部に雄ねじ部を有し、
この雄ねじ部が、前記第２の高剛性部材の外側面より外側方に突出し，その突出部分にナット部材が螺合されていることを特徴とする請求項６に記載の筋交いダンパー構造。
【請求項８】
前記金属製のプラグは、両端部が、前記第２の高剛性部材の外側面より外側方に突出し，その突出部分にキャップ部材が嵌合されていることを特徴とする請求項６に記載の筋交いダンパー構造。
【請求項９】
前記金属製のプラグは、変形して制振のためのエネルギー吸収をするプラグであり、
前記シート状ゴムは、天然ゴムであることを特徴とする請求項１〜８のいずれか１つに記載の筋交いダンパー構造。
【請求項１０】
前記金属製のプラグは、変形して制振のためのエネルギー吸収をするプラグであり、
前記シート状ゴムは、高減衰ゴムであることを特徴とする請求項１〜８のいずれか１つに記載の筋交いダンパー構造。
【請求項１１】
前記金属製のプラグは、Ｖ型あるいはＵ型溝が形成されたプラグであり、
前記シート状ゴムは、高減衰ゴムであることを特徴とする請求項１〜８のいずれか１つに記載の筋交いダンパー構造。
【発明の詳細な説明】
【技術分野】
【０００１】
本発明は、筋交いダンパー構造に関する。より詳細には、木造建築物若しくは鉄骨構造物の筋交い材（若しくはブレース材）の端部と、木造建築物若しくは鉄骨構造物の軸組若しくはフレームとの接合部を連結部分に使用されるダンパー構造に関するものである。
【背景技術】
【０００２】
従来より、大型建築物において、耐震性能を確保するために、鋼板などの硬質板とゴム状弾性板とを交互に積層した構造体を用いることは知られている（例えば、特許文献１参照）。
【０００３】
これに対し、一般の戸建て木造建築物若しくは鉄骨構造物は、金物を使用して基礎・土台・柱フレームについてできるだけ一体化を図ることで、耐震性能を確保している。そのような一体化のための、木造建築物若しくは鉄骨構造物における接合部は、従来より、金物継ぎ手が主流となっている。
【０００４】
そこで、木造住宅においては、前述したように金物継手を使用して基礎・土台・柱フレームをできるだけ一体化させることで耐震性能を確保しているが、そのような金物継ぎ手を、高減衰ゴムなどの減衰材を用いて構成して、地震などによる振動が作用するときに生じるせん断変形によるズレである相対変位を吸収できる構造を付加し、地震時に接合部内部に生じる部品間相互の変形を利用して、制振効果を得る制振金物が提案されている（例えば特許文献２参照）。
【０００５】
また、内筒状剛性部材の外周側に同内筒状剛性部材を囲繞するように外筒状剛性部材を同心状に配置するとともに、内外の前記剛性部材間に粘弾性エネルギー吸収体を介在させて相対変位可能に一体的に結合してなるエネルギー吸収ユニット構造を備えたダンパー装置において、前記エネルギー吸収体よりも高剛性の延伸性プラグを、前記内筒状剛性部材と前記外筒状剛性部材との内外の筒状壁間に跨り、かつ前記エネルギー吸収体に対し軸方向に直交する方向に貫通させて設けたものも知られている（例えば、特許文献３参照）。
【先行技術文献】
【特許文献】
【０００６】
【特許文献１】特開平２−４９８３４号公報（第３頁及び図１，２）
【特許文献２】特開２００６−３３６２６０号公報
【特許文献３】特許第４２８８３７０号公報
【発明の概要】
【発明が解決しようとする課題】
【０００７】
特許文献２に記載の構造では、筋交い材端部の片側に減衰材を挟んで制振金物が設けられ、接合形式は一面せん断形であるため、筋交い材に圧縮力が作用した場合に、筋交い材端部を固定する減衰材がめくれあがり、筋交い材が大きく面外方向に湾曲し、ダンパーとしてのエネルギー吸収効率が低下している。また、筋交い材の端部の制振金物にも，浮き上がりや木材へのめり込みが生じるため、この点からも、ダンパーとしてのエネルギー吸収効率が低下している。
【０００８】
ところで、特許文献２に記載のように、ゴムを用いた制振構造では、残留変形は少ないが、減衰性能を高めると、ダンパーの温度依存性が大きくなるため、減衰性能を大きくすることができない。一方、高剛性の延伸性プラグを用いた制振構造は、特許文献３に記載のように、地震や風などによる振動中の減衰性能は高いが、振動が終了した後に、残留変形を残しやすい。
【０００９】
本発明は、ゴムと金属製のプラグを併用することによって、残留変形の発生を抑制した上で減衰性能を確保した筋交いダンパー構造、若しくは残留変形の発生を許容した上で減衰性能をさらに高めることができる筋交いダンパー構造を提供することを目的とする。
【課題を解決するための手段】
【００１０】
請求項１の発明は、鉛直方向に延びる柱と水平方向に延びる横架材とが突き合わされて接合され、その接合部に前記柱及び横架材に傾斜する方向に延びる筋交い材が配置されている筋交いダンパー構造であって、前記筋交い材の上下端部あるいは下端部に板状の第１の高剛性部材の上端部が固定具にて固定され、前記第１の高剛性部材の下端部の表裏面にそれぞれシート状ゴムの一面側が接着され、前記各シート状ゴムの他面側それぞれに第２の高剛性部材の第１の部分の一面側が接着されて、前記第１の高剛性部材の下端部およびそれの両側のシート状ゴムが２つの前記第２の高剛性部材によって挟み込まれる構成とされ、前記第２の高剛性部材の第２および第３の部分がそれぞれ前記柱および前記横架材に固定具にて固定され、前記第２の高剛性部材の上下部が、前記横架材から上方に前記柱と平行に突出するアンカーボルトに連結され、前記第２の高剛性部材の第１の部分、前記シート状ゴム及び前記第１の高剛性部材を積層してなる積層構造を貫通する金属製のプラグが設けられていることを特徴とする。ここで、「筋交い材」とは、柱及び横架材に傾斜する方向に延びる斜材で、グレース材ともいう。「横架材」には土台が含まれる。「接着」は、加硫接着でもよいし、接着剤を用いる接着でもよい。エネルギー吸収は、金属製のプラグおよびシート状ゴムが変形することで両者が吸収するようにしているが、金属製のプラグが変形することで吸収するようにしてもよいし、金属製のプラグが折れシート状ゴムの変形によって吸収するようにしてもよい。「シート状ゴム」としては、エネルギー吸収を主としてゴムに期待する場合には高減衰ゴム（せん断弾性係数Ｇ＝０．１Ｎ／ｍｍ２以上、等価減衰定数Ｈeq＝１０〜３０％）が用いられ、エネルギー吸収は主としてプラグに期待しゴムにはプラグの形状を元に戻すことを期待する場合には天然ゴム（ＮＢＲ）（せん断弾性係数Ｇ＝０．１Ｎ／ｍｍ２以上、等価減衰定数Ｈeq＝０〜５％）が用いられる。「プラグ」は、鋼材、ステンレス、アルミニウム、錫、鉛などの金属製とされる。「第１及び第２の高剛性部材」は、鋼材、ステンレスなどの金属材料が用いられる。
【００１１】
このようにすれば、地震などの震動により、第１の高剛性部材と第２の高剛性部材との間に相対変位が生ずると、両部材に接着されているゴムおよび両部材の間に跨って設けられているプラグに変形が生じ、それらが変形することで振動エネルギーが吸収される。ゴム及びプラグという２つのエネルギー吸収材料を利用しているために、ゴムのせん断変形によるエネルギー吸収とプラグの変形によるエネルギー吸収との相乗効果により、効率的なエネルギー吸収が実現されるほかに、シート状ゴムが経年変化によって劣化した場合でも、金属製のプラグは単独でもエネルギー吸収できる、信頼性の高いフェイルセーフ構造となっている。
【００１２】
とくに、前記柱及び横架材に固定具にて固定される部分（第２及び第３の部分）を有する第２の高剛性部材を、第１の高剛性部材及びシート状ゴムの両側に配置し、それらを挟み込むようにしているので、第１の高剛性部材及びそれに固定される筋交い材に座屈現象が起こりにくくなる。
また、第２の高剛性部材の上下部がアンカーボルトに連結されることで、、前記横架材から上方に前記柱と平行に突出する第２の高剛性部材などを含む制振構造物が横架材から浮き上がったり、沈み込んだりするのが抑制される。これによって、上記制振構造物のガタが低減され、エネルギー吸収性能が効率よく発揮される。
つまり、２つの第２の高剛性部材の間に、第１の高剛性部材及び２つのシート状ゴムの厚さに相当するスペースが形成されるので、そのスペースを利用して、耐力壁の転倒を防止するアンカーボルトを通し、筋交い材端部の第２の高剛性部材をアンカーボルトに連結することにより、筋交い材端部の、第２の高剛性部材などを含む制振構造物が浮き上がったり、沈み込んだりするのを防止することができる。ホールドダウン金物の機能も果たすことになるので、ホールドダウン金物が必要なくなる。
【００１３】
この場合、請求項２に記載のように、前記アンカーボルトは、２つの前記第２の高剛性部材の第１の部分の間に、前記金属製のプラグが貫通する部分から離れて、配置されている、ことが望ましい。
【００１６】
請求項３に記載のように、前記第２の高剛性部材は、前記アンカーボルトに適用される上側及び下側ナット部材によって挟持されることで、前記アンカーボルトに連結されていることが望ましい。
【００１７】
このようにすれば、アンカーボルトに適用される上側及び下側ナット部材によって第２の高剛性部材を挟持するという簡単な構造で、アンカーボルトに強固に連結することができる。
【００１８】
請求項４に記載のように、前記下側のナット部材は、それの上面が前記アンカーボルトが突出する前記横架材にそれらの表面と面一になるように、あるいは前記ナット部材と第２の高剛性部材との間に配置されるワッシャーが前記表面と面一になるように設置されている構成とすることができる。
【００１９】
このようにすれば、第２の高剛性部材などを含む制振構造物が横架材に沈み込むのを防止する上で有利となる。
【００２０】
請求項５に記載のように、前記上側のナット部材は、前記第２の高剛性部材の上端部に嵌合する溝部を有する上側ワッシャーを介して設けられている構成とすることができる。
【００２１】
このようにすれば、第２の高剛性部材の間隔を維持して、第２の高剛性部材などを含む制振構造物が横架材から浮き上がるのを防止する上で有利となる。
【００２２】
請求項６に記載のように、前記金属製のプラグは、交換可能に設けられていることが望ましい。
【００２３】
このようにすれば、必要に応じて金属製のプラグを交換することで、第１及び第２の高剛性部材、金属製のプラグなどからなる制振構造物のエネルギー吸収性能を長期間にわたって安定して維持させることができる。
【００２４】
請求項７に記載のように、前記金属製のプラグは、両端部に雄ねじ部を有し、この雄ねじ部が、前記第２の高剛性部材の外側面より外側方に突出し、その突出部分にナット部材が螺合されていることが望ましい。
【００２５】
このようにすれば、プラグはナット部材との螺合により固定され、シート状ゴムがせん断変形する際に抜け出してしまうのが確実に防止される。ナット部材を螺合する雄ねじ部が，第２の高剛性部材の外側面より突出しているので、雄ねじ部に対するナット部材の取り付け、取り外しが簡単であり、プラグの交換作業が容易である。
【００２６】
また、請求項８に記載のように、前記金属製のプラグは、両端部が、前記第２の高剛性部材の外側面より外側方に突出し，その突出部分にキャップ部材が嵌合されているようにすることも可能である。
【００２７】
この場合も、プラグはキャップ部材との嵌合により固定され、シート状ゴムがせん断変形する際に抜け出してしまうのが防止される。キャップ部材を外すことにより容易に交換できる。
【００２８】
請求項９に記載のように、前記金属製のプラグは、変形して制振のためのエネルギー吸収をするプラグであり、前記シート状ゴムは、天然ゴムとすることも可能である。
【００２９】
このようにすれば、制振のためのエネルギー吸収によりプラグの形状が変形してエネルギー吸収すると同時に、天然ゴムの弾性がプラグに逆方向に作用して、プラグの形状が元の状態に復元される。
【００３０】
請求項１０に記載のように、前記金属製のプラグは、変形して制振のためのエネルギー吸収をするプラグであり、前記シート状ゴムは、高減衰ゴムとすることも可能である。
【００３１】
このようにすれば、制振のためのエネルギー吸収によりプラグの形状が変形してエネルギー吸収すると同時に、高減衰ゴムの変形による減衰効果が加算される。
【００３２】
請求項１１に記載のように、前記金属製のプラグは、Ｖ型あるいはＵ型溝が形成され設定値を超える荷重の作用により破断するプラグであり、前記シート状ゴムは、高減衰ゴムとすることができる。
【００３３】
このようにすれば、プラグに設定値を超える荷重が作用するような地震などの際に、プラグが破断した後、減衰能力が高い高減衰ゴムにより減衰効果が発揮される。つまり、プラグが高減衰ゴムによる減衰開始のトリガーとして機能する。
【発明の効果】
【００３４】
本発明は、エネルギーを吸収するシート状ゴムと金属製のプラグとをそなえるようにしているので、前記シート状ゴムによる減衰機能と前記プラグによる減衰機能とをうまく区組み合わせて、筋交い材を通じて入力される振動縁ネルギーについて、効率のよいエネルギー吸収を実現することができる。筋交い材の端部を、平行に配置される２つの高剛性部材を利用して、筋交い材の端部を両側から支えるようにしているので、で筋交い材の湾曲を防止する上で有利な構造とすることができる。
【図面の簡単な説明】
【００３５】
【図１】本発明に係る筋交いダンパー構造の一実施の形態を示す概略正面図である。
【図２】図１のＡ−Ａ線概略断面図である。
【図３】図１のＢ−Ｂ線概略断面図である。
【図４】別の実施の形態をしめし、図２と同様の図である。
【図５】さらに別の実施の形態を示すもので、（ａ）（ｂ）はそれぞれ図１及び図２と同様の図である。
【図６】（ａ）（ｂ）はそれぞれ本発明に係る筋交いダンパー構造の取付位置の説明図である。
【発明を実施するための形態】
【００３６】
以下、本発明の実施の形態を図面に沿って説明する。
【００３７】
本発明に係る筋交いダンパー構造は、例えば図１〜図３に示すように、鉛直方向に延びる柱１と水平方向に延びる土台２（または横架材）とが突き合わされて接合され、その接合部に柱１及び土台２（横架材）に傾斜する方向に延びる筋交い材３が配置されている木造建築物若しくは鉄骨構造物の接合部に適用される。
【００３８】
筋交い材３の下端部に、筋交い材３とほぼ同じ幅を有する高剛性の中板１１（板状の第１の高剛性部材）の上端部が複数の固定具１２にて固定されている。この中板１１の下端部の表裏面にそれぞれシート状ゴム１３，１４の一面側（内面側）が接着剤を用いる接着あるいは加硫接着されている。そして、各シート状ゴム１３，１４の他面側（外面側）それぞれに、筋交い端部となる高剛性の側板１５，１６（第２の高剛性部材）が接着されている。
【００３９】
この側板１５，１６は、シート状ゴム１３，１４の他面側に一面側が接着される矩形板形状の第１の部分１５Ａ，１６Ａと、柱１及び土台２（または横架材）に複数の固定具１７にて固定される第２及び第３の部分１５Ｂ，１６Ｂ，１５Ｃ，１６Ｃとを有する。なお、第３の部分１５Ｃ，１６Ｃは、柱１側の部位（後述のアンカーボルト２１が配置されている部位）を除く部分に形成されている（図３参照）。
【００４０】
中板１１の下端部に対応する側板１５，１６の第１の部分１５Ａ，１６Ａは、シート状ゴム１３，１４を介して中板１１を挟みそれらを積層してなる、５層からなる積層構造物を形成しており、この積層構造物を金属製のプラグ１８が貫通して設けられている。これにより、前記積層構造物は、シート状ゴム１３，１４と金属製のプラグ１８とを併用した筋交いダンパー構造物Ｍ１として機能するようになっている。
【００４１】
ここで、エネルギー吸収は、目的に応じて、（ａ）金属製のプラグ１８の変形とゴム１３，１４の変形とによって行うもののほか、(ｂ)金属製のプラグ１８が変形することで主として吸収し、そのエネルギー吸収終了後、ゴム１３，１４がプラグ１８の残留変形をなくして元の状態に復元させるようにしてもよい。なお、貫通して設けられるプラグ１８の本数は、シート状ゴム１３，１４と中板１１あるいは側板１５，１６との接着面積と、（単数若しくは複数の）プラグ１８の総断面積との関係を考慮して決定され、(ｂ)の場合には、プラグ１８の残留変形をなくして元の状態に復元させうる弾性力がシート状ゴム１２，１３に求められる。つまり、プラグの本数が少なくなり総断面積が小さくなると、ゴム１２，１３の弾性により元の状態に戻りやすくなるが、その分各プラグによるエネルギー吸収能力が小さくなるので、それらのバランスで決定される。
【００４２】
シート状ゴムとしては、エネルギー吸収をゴムに期待する場合には高減衰ゴムが用いられ、エネルギー吸収はプラグに期待しゴムにはプラグの形状を元に戻すことを期待する場合には天然ゴムが用いられる。プラグ１８に用いられる金属材料としては、プラグ１８にトリガーとしての機能を期待する場合には鋼材、ステンレス等の金属材料が、エネルギー吸収をプラグ１８に期待する場合には、アルミニウム、錫、鉛などの金属材料が用いられる。中板１１や側板１５，１６には、鋼材、ステンレスなどの金属材料が用いられる。
【００４３】
また、中板１１の下端部は、土台２に平行な下縁１１ａと、柱１に平行な側縁１１ｂとを有するように切断することで、中板１１と側板１５，１６の第１の部分１５Ａ，１６Ａとの重複部分の面積が大きくなるようにされ、それらの間に接着により固定されるシート状ゴム１３，１４との接着面積を大きくなるようにして、減衰性能を確保する上で有利な積層構造としている。また、中板１１の下縁１１ａと側縁１１ｂは、土台２及び柱１との間に隙間を有し、シート状ゴム１２，１３のせん断変形しても、中板１１と土台２、柱１とが緩衝しないようになっている。
【００４４】
さらに、側板１５，１６（第２の高剛性部材）の間には、柱１付近において、土台２（横架材）から上方に柱１と平行に突出するアンカーボルト２１が配置されている。つまり、アンカーボルト２１の両側に側板１５，１６（第２の高剛性部材）が緩衝することなく左右対称に配置されている。このアンカーボルト２１に対し、側板１５，１６の上下部が連結され、これにより中板１１，シート状ゴム１３，１４及び側板１５，１６などを含む積層構造物（制振構造物）が土台２から浮き上がったり、土台２内に沈み込んだりするのを抑制するのに有利な構造となっている。
【００４５】
具体的には、側板１５，１６は、アンカーボルト２１に適用（螺合）される上側及び下側ナット部材２２，２３によって、上側及び下側ワッシャー２４，２５を介して挟持されることで、アンカーボルト２１に上下方向の動きを規制するように連結されている。
【００４６】
上側ワッシャー２４には、側板１５，１６の第１の部分１５Ａ，１６Ａの上端部に嵌脱可能に嵌合する溝部２４ａ，２４ａが形成されている．一方、下側ワッシャー２５は、それの上面がアンカーボルト２１が突出する土台２（若しくは横架材）にそれの表面と面一になるように設定されるようになっている。側板１５，１６の間に嵌合する凸部２５ａを用いることも可能である。なお、下側ワッシャー２５は、下側ナット部材２３と一体に形成されている構造とすることも可能である。
【００４７】
上記構造によれば、地震などの震動により、中板１１と側板１５，１６との間に相対変位が生ずると、それらの間に接着されているシート状ゴム１３，１４およびそれらの間に跨って設けられている金属製のプラグ１８に変形が生じ、それらが変形することで振動エネルギーが吸収される。このプラグ１８の変形（せん断変形）の際に、プラグ１８が抜け出さないようにゴム１３，１４によってしっかりと支持される。
【００４８】
ゴム１３，１４及びプラグ１８というエネルギー吸収態様が異なる２つの構造要素を利用して、ゴム１３，１４の変形によるエネルギー吸収性能とプラグ１８の変形によるエネルギー吸収性能とを組み合わせて、効果的なエネルギー吸収が実現される。
【００４９】
特に、側板１５，１６がアンカーボルト２１に連結されることで、側板１５，１６などからな制振構造物が土台２から浮き上がったり、土台２に沈み込んだりするのが抑制される。これによって、上記制振構造物のガタが低減され、上記制振構造物のエネルギー吸収性能が効率よく発揮される。アンカーボルト２１に適用される上側及び下側ナット部材２２，２３によって挟持されるという簡単な構造で、アンカーボルト２１に両側板１５，１６を連結することができる。また、ホールドダウン金物の機能も果たすことになるので、ホールドダウン金物が必要なくなる。
【００５０】
それに加えて、中板１１の端部を、２つの側板１５，１６を平行に対称に配置して両側から挟み込んで支える構造とすることで、中板１１及びそれに連結される筋交い材３の座屈現象（湾曲変形）を防止する有利な構造となっている。とくに、中板１１や側板１５，１６の、筋交い方向の長さや幅を調整することで、筋交い材３の座屈を防止する最適構造とすることができる。
【００５１】
前記実施の形態では、プラグ１８を、積層構造物に対し嵌挿して、抜け出さないように固定しているだけであるが、確実に抜け出さないように固定すると共に交換可能となるように構成することも可能である。このようにすれば、変形の繰り返しによりエネルギー吸収性能が低下した金属製のプラグを必要に応じて交換することで、中板１１、シート状ゴム１３，１４、側板１５，１６およびプラグ１８などからなる制振構造物のエネルギー吸収性能を効率よく維持・発揮させることができる。この場合には、前述した（ａ）の場合のように、エネルギー吸収後に、ゴム１３，１４によってプラグ１８の残留変形をなくして元の状態に戻す構成は、プラグの交換を容易にする。
【００５２】
具体的には、図４に示すように、金属製のプラグ１８Ａは、両端部に雄ねじ部１８Ａａを有し、この雄ねじ部１８Ａａが、側板１５，１６（第１の部分１５Ａ，１６Ａ）の貫通孔を通じて外側面より外側方に突出し，その突出部分（雄ねじ部１８Ａａ）にナット部材３１が螺合されている構成とすればよい。これにより、プラグ１８Ａはナット部材３１との螺合により固定され、シート状ゴム１３，１４がせん断変形する際に抜けるのが確実に防止される。ナット部材３１を外すことにより容易に交換できる。
【００５３】
また、具体的に図示していないが、金属製のプラグは、両端部が側板１５，１６の外側面より外側方に突出し、その突出部分にキャップ部材が嵌合されているようにすることも可能である。
【００５４】
前述した実施の形態のほか、本発明は次のように変更して実施することができる。
【００５５】
(i)前記実施の形態では、金属製のプラグ１８によってエネルギーの吸収を行うようにしているが、金属製のプラグ１８に予めＶ型あるいはＵ型溝を形成しておき、設定値を超える荷重が作用したときに金属製のプラグ１８が前記溝の部位で折れ、ゴム１３，１４（高減衰ゴム）の変形で主としてエネルギー吸収するようにしてもよい。つまり、金属製のプラグの破断によって、高減衰ゴムによるエネルギー吸収を開始させるようにすることもできる。
【００５６】
(ii)前記実施の形態では、側板１５，１６を、柱１および土台２（横架材）の両方に固定しているが、いずれかに一方にのみ固定具１７にて固定するようにしてもよいのはもちろんである。
【００５７】
(ii)前記実施の形態では、アンカーボルト２１に側板１５，１６を連結するようにしているが、必ずしも連結する必要はない。図５（ａ）（ｂ）に示すように、柱１の近傍にアンカーボルト２１が配置されていない構造の場合にも同様に適用することができる。
【００５８】
(iii)前記実施の形態では、具体的に記載していないが、筋交い材３の幅が細い場合には、筋交い材３の面外方向の変形（座屈）を抑制して、前述した筋交いダンパー構造によるダンパー効果を有効に発揮できるように、筋交い材３の面外方向の変形（座屈）を防止する構造を採用することができるのはもちろんである。
【００５９】
(iv)前記実施の形態では、図６（ａ）に示すように、筋交い材の下端部に筋交いダンパー構造物Ｍ１を設けたものについて説明したが、図６（ｂ）に示すように、筋交い材の上下端部の両方に筋交いダンパー構造物Ｍ１，Ｍ２を設けてもよいのはもちろんである。この場合は、上端部に設ける筋交い構造物Ｍ１は、下端部に設ける筋交い構造物Ｍ２とは配置が逆になる。
【符号の説明】
【００６０】
１    柱
２    横架材
３    筋交い材
１１    中板（第１の高剛性部材）
１２    固定具
１３，１４    シート状ゴム
１５，１６    側板（第２の高剛性部材）
１７    固定具
１８，１８Ａ    金属製のプラグ
１８Ａａ    雄ねじ部
２１    アンカーボルト
２２，２３    ナット部材
２４，２５    ワッシャ
２４ａ    溝部
【図１】
0005803024.tif 000002
【図２】
0005803024.tif 000003
【図３】
0005803024.tif 000004
【図４】
0005803024.tif 000005
【図５】
0005803024.tif 000006
【図６】
0005803024.tif 000007